(57)【要約】      （修正有）【課題】貫通型の既設折板屋根の上に、嵩張ることの無い加締め型の新規折板屋根を比較的容易に構築できる折板屋根の改修構造と、それに用いる取付部材を提供する。【解決手段】波状折板１ａの山部から締結ボルト２のネジ部及び締結ナット３が露出している既設折板屋根Ａと、締結ナット３上において締結ボルト２に装着し挟持ナット４で固定した取付部材Ｃと、その上に葺設固定した新規折板屋根Ｂからなり、新規折板屋根Ｂは、複数枚の波状折板１ｂを隣接する側縁を重合し馳締めを施すことを以って連結して成り、取付部材Ｃは、前記側縁に挟持内装されるフック部６ａを備えた吊り子６、新規折板屋根Ｂの波状折板の側縁を下支えする支持部、締結ボルト２が貫通する締結孔を備え締結ナット３と挟持ナット４で挟持される挟持片８、及び該挟持片８の下方に延出し既設折板屋根Ａの山部に当接する脚部９を備える折板屋根の改修構造。【選択図】図１
0003166986.tif 000002
【実用新案登録請求の範囲】
【請求項１】
波状折板（１ａ）の山部から締結ボルト（２）のネジ部及び締結ナット（３）が露出している既設折板屋根（Ａ）と、
締結ナット（３）上において締結ボルトに装着し挟持ナット（４）で固定した取付部材（Ｃ）と、
取付部材（Ｃ）上に葺設固定した新規折板屋根（Ｂ）とからなり、
新規折板屋根（Ｂ）は、複数枚の波状折板（１ｂ）を隣接する波状折板（１ｂ）の側縁を重合し馳締めを施すことを以って連結して成り、
取付部材（Ｃ）は、前記側縁の重合馳締めを以って当該側縁に挟持内装されるフック部（６ａ）を備えた吊り子（６）、新規折板屋根（Ｂ）を構成する波状折板（１ｂ）の側縁を下支えする支持部（７）、締結ボルト（２）のネジ部が貫通する締結孔（８ａ）を備え締結ナット（３）と挟持ナット（４）で挟持される挟持片（８）、及び挟持片（８）の下方に延出し既設折板屋根（Ａ）の山部に当接する脚部（９）を備えることを特徴とする折板屋根の改修構造。
【請求項２】
波状折板（１ａ）の山部から締結ボルト（２）のネジ部及び締結ナット（３）が露出している既設折板屋根（Ａ）の上に、複数枚の波状折板（１ｂ）を隣接する波状折板（１ｂ）の側縁を重合し馳締めを施すことを以って連結して成る新規折板屋根（Ｂ）を固定する取付部材であって、
前記側縁の重合馳締めを以って当該側縁に挟持内装されるフック部（６ａ）を備えた吊り子（６）、新規折板屋根（Ｂ）を構成する波状折板（１ｂ）の側縁を下支えする支持部（７）、締結ボルト（２）のネジ部が貫通する締結孔（８ａ）を備え締結ナット（３）と挟持ナット（４）で挟持される挟持片（８）、及び挟持片（８）の下方に延出し既設折板屋根（Ａ）の山部に当接する脚部（９）を備えることを特徴とする折板屋根の改修構造用取付部材。
【考案の詳細な説明】
【技術分野】
【０００１】
本考案は、金属製折板を用いた屋根の改修構造に関し、特に、折板の山部から締結用のボルトを突出させナットで固定する形態（以下貫通型と記す）の既設折板屋根の上に、更に、折板が吊り子のフック等を挟み込みつつ馳締めにて接合される形態（以下加締め型と記す）の新規折板屋根を葺設する折板屋根の改修構造と、それに用いる取付部材に関するものである。
【背景技術】
【０００２】
今日、工場や倉庫等の広面積の鉄骨建築物の屋根として折板屋根が多用されている。
このような折板屋根は、金属板を断面がほぼ波状となるように折り曲げられた長尺の折板が、隣合うもの同士で接合されてなり、梁等に取付金具を取り付け、取付金具と、その上に敷いた折板の山部を連通したボルトを上向きに突出させ、パッキンを填めてナット締めをすることにより固定されている。
【０００３】
この様な折板屋根は、締結用のボルトを通した貫通孔から経年腐食が進み、やがて雨漏りに発展する。
その様な折板屋根の修繕方法として、既設折板屋根の上に細長部材を固定し、その細長部材上に、新規に取付金具を介して貫通型の新規折板屋根を葺設する手法が紹介されている（例えば下記特許文献１参照）。しかし、この手法では、既設折板屋根の厚み分がそのまま嵩高となる。
【０００４】
かかる問題を解消すべく、既設折板屋根の折板及び取付金具に締結する既設折板屋根の折板に沿う波状の改修用折板支持具に、当該改修用折板支持具に沿う新規折板を葺設し新規折板屋根を敷設する手法が紹介されている（例えば下記特許文献２参照）。
【先行技術文献】
【特許文献】
【０００５】
【特許文献１】特開平９−１７０３０４号公報
【特許文献２】特開２００５−０３６６２９号公報
【考案の概要】
【考案が解決しようとする課題】
【０００６】
しかしながら、当該手法にあっても、貫通型の新規折板屋根であることから、上記特許文献１に記載の手法と同様に、新規折板屋根を締結する為のボルトを通した貫通孔から経年腐食が進み、比較的短期に雨漏りを招来し、当該雨漏りによって更に下層の既設折板屋根の腐食を進行させるという問題が生じる。
【０００７】
本考案は、上記実情に鑑みてなされたものであって、貫通型の既設折板屋根の上に、嵩張ることの無い加締め型の新規折板屋根を比較的容易に構築できる折板屋根の改修構造と、それに用いる取付部材を提供することを目的とする。
【課題を解決するための手段】
【０００８】
上記課題を解決するために成された本考案による折板屋根の改修構造は、波状折板の山部から締結ボルトのネジ部及び締結ナットが露出している既設折板屋根と、締結ナット上において締結ボルトに装着し挟持ナットで固定した取付部材と、取付部材上に葺設固定した新規折板屋根とからなる。
【０００９】
当該改修構造において、新規折板屋根は、複数枚の波状折板を隣接する波状折板の側縁を重合し馳締めを施すことを以って連結して成り、当該改修構造に用いる取付部材は、前記側縁の重合馳締めを以って当該側縁に挟持内装されるフック部を備えた吊り子、新規折板屋根を構成する波状折板の側縁を下支えする支持部、締結ボルトのネジ部が貫通する締結孔を備え締結ナットと挟持ナットで挟持される挟持片、及び挟持片の下方に延出し既設折板屋根の山部に当接する脚部を備えることを特徴とする。
【考案の効果】
【００１０】
本考案によれば、既設折板屋根の波状折板の山部から露出している締結ボルトのネジ部に装着し、既に装着されている締結ナットと挟持ナットで、その取付部材を挟持する構造を採ることにより、取付部材上に新規折板屋根を容易に葺設固定することができる。
また、新規折板屋根に、複数枚の波状折板を隣接する波状折板の側縁を重合し馳締めを施すことを以って連結して成る加締め型の屋根を採用することによって、貫通型の屋根を採用した場合の様に、新規折板屋根を締結する為のボルトを通した貫通孔から経年腐食が進むことが回避され、比較的長期に亘って雨漏りを防止できることとなる。その結果、下層の既設折板屋根の腐食の進行を抑制でき、新規折板屋根の長期に亘る好適な機能を維持できることとなる。
【００１１】
更に、新規折板屋根の固定に、波状折板の側縁の重合馳締めを以って当該側縁に挟持内装されるフック部を備えた吊り子、新規折板屋根を構成する波状折板の側縁を下支えする支持部、締結ボルトのネジ部が貫通する締結孔を備え締結ナットと挟持ナットで挟持される挟持片、及び挟持片の下方に延出し既設折板屋根の山部に当接する脚部を備える取付部材を採用することによって、既設折板屋根と新規折板屋根の間隔を狭く抑えることが可能となり、補修後における屋根の嵩張りを抑制することが可能となる。
【図面の簡単な説明】
【００１２】
【図１】本考案による折板屋根の改修構造とそれに用いる取付部材の実施態様例を示す（Ａ）：正面から見た要部断面図と、（Ｂ）：背面から見た要部断面図である。
【図２】本考案による折板屋根の改修構造とそれに用いる取付部材の実施態様例を示す（Ａ）：右側面から見た要部側面図と、（Ｂ）：左側面から見た要部側面図である。
【図３】本考案による折板屋根の改修構造に用いる取付部材の実施態様例を示す（Ａ）：斜視図と、（Ｂ）：分解図である。
【図４】本考案による折板屋根の改修構造とそれに用いる取付部材の実施態様例を示す施工図である。
【図５】本考案による折板屋根の改修構造における既成折板屋根と新規折板屋根の複合状況の概要を示す斜視図である。
【考案を実施するための形態】
【００１３】
以下、本考案による折板屋根の改修構造とそれに用いる取付部材の実施の形態を図面に基づいて説明する。
本考案による折板屋根の改修構造は、波状折板１ａの山部から締結ボルト２のネジ部及び締結ナット３が露出している既設折板屋根Ａと（図４（Ａ）参照）、締結ナット３上において締結ボルト２に装着し挟持ナット４で固定した取付部材Ｃと、取付部材Ｃ上に葺設固定した新規折板屋根Ｂとからなる（図４参照）。
【００１４】
既設折板屋根Ａは、天平面Ａ１と底平面Ａ２を、傾斜平面Ａ３を介在して波状に連結したものである（図４及び図５参照）。
既設折板屋根Ａを構成する折板１ａの各ピースは、各々前記天平面（山部）Ａ１、底平面Ａ２、及び傾斜平面Ａ３を備え、両側縁として、最も端に位置する天平面Ａ１と、更に端の方向へ続く傾斜平面Ａ３の上部からなる側終縁Ａ４を備える。
既設折板屋根Ａは、折板１ａの波状に倣う波状を呈したタイトフレーム１０の上に、複数の折板１ａを、隣接する各々の側終縁Ａ４，Ａ４を重合させた状態で葺設し、当該重合部とタイトフレーム１０の頂部を締結ボルト２及び締結ナット３で締結して構築する（図１参照）。
【００１５】
当該既設折板屋根Ａの上に葺く新規折板屋根Ｂは、天平面Ｂ１と底平面Ｂ２を傾斜平面Ｂ３を介在して波状に連結したものである点では、前記既設折板屋根Ａと構造上一致する（図５参照）。
新規折板屋根Ｂを構成する折板１ｂの各ピースは、各々前記天平面Ｂ１、底平面Ｂ２、及び傾斜平面Ｂ３を備え、両側縁として最も端に位置する天平面Ｂ１に連結縁Ｂ４を備える。
連結縁Ｂ４は、隣接する一対を馳締めし（図１参照）水密状態に一体化する形態を採る。
【００１６】
新規折板屋根Ｂを構成する各折板１ｂにおける一方の連結縁（以下内連結縁Ｂ４αと記す）Ｂ４は、最も端に位置する天平面Ｂ１の略半分の幅だけ略水平方向側方へ延出した位置から上方へ垂直に起立した垂直内包面Ｂ４αａと、当該垂直内包面Ｂ４αａの上端から水平方向へ折れ曲がりその先端部を上又は下に重ねた反転内包面Ｂ４αｂを備える。
【００１７】
新規折板屋根Ｂを構成する各折板１ｂにおける他方の連結縁（以下外連結縁Ｂ４βと記す）Ｂ４は、前記内連結縁Ｂ４αを内包する形態を備える。即ち、天平面Ｂ１の略半分の幅だけ略水平方向側方（内連結縁Ｂ４αとは反対側）へ延出した位置から上方へ垂直に起立した垂直外被面Ｂ４βａと、当該垂直外被面Ｂ４βａの上端から水平方向へ折れ曲がりその先端部を下方へ垂直に折り曲げた鉤状外被面Ｂ４βｂを備える（図３及び図５参照）。
【００１８】
新規折板屋根Ｂとして葺かれる各折板１ｂは、隣接する折板１ｂの内連結縁Ｂ４αを取付部材Ｃが備える吊り子６のフック部６ａに内包し、更に当該フック部６ａを隣接する折板の外連結縁Ｂ４βに内包した上で、当該外連結縁Ｂ４βの鉤状外被面Ｂ４βｂを吊り子６の下側に倣う様に加締めることで相互に連結する（図１及び図４参照）。
【００１９】
連結後において形成される波状の周期は、前記既設折板屋根Ａの整数倍又は整数分の一である必要があり、前記既設折板屋根Ａが成す波状の周期は、前記タイトフレーム１０の整数倍又は整数分の一である必要がある。
【００２０】
上記新規折板屋根Ｂの固定に用いる取付部材Ｃは、既設折板屋根Ａの天平面（山部）Ａ１を貫通する締結ボルト２の締結ナット３上に、同じ締結ボルト２に螺合する挟持ナット４で締着する。
【００２１】
取付部材Ｃは、新規折板屋根Ｂを保持する吊り子６と、当該吊り子６と既成折板屋根Ａとを連結する取付ベース５とで構成される。
【００２２】
吊り子６は、新規折板屋根Ｂを構成する折板１ｂの側縁の重合馳締めを以って当該側縁に挟持内装されるフック部６ａと、前記取付ベース５に固定する基面６ｂを備える。この例のフック部６ａは、基面６ｂの一端から略直角に上向きとなった起立面６ｃと一体的に形成されており、当該起立面６ｃは、上位となるに従って幅が徐々に広がり、その上端に折板１ｂの側縁（連結縁Ｂ４）を所定の長さにわたって保持する様に成形される。
フック部６ａは、折板１ｂの内連結縁Ｂ４αを覆う形態に成形され、起立面６ｃの上端から水平方向へ折れ曲がりその先端部を下方から折り返した鉤状を形作っている。
基面６ｂは、取付ベース５に固定する為の取付ボルト１４を挿通する取付孔６ｄと、フック部の保形強度を高め取付ナット１５の緩みを止める為のリブ６ｅを備える。
【００２３】
取付ベース５は、新規折板屋根Ｂを構成する波状折板１ｂの側縁（連結縁Ｂ４）を下支えする支持部７、吊り子６の基面６ｂを支持するベース部１１、締結ボルト２のネジ部が貫通する締結孔８ａを備え締結ナット３と挟持ナット４で挟持される挟持片８、及び挟持片８の下方に延出し既設折板屋根Ａの天平面（山部）Ａ１に当接する脚部９を備え、前記挟持片８、ベース部１１の一方、及び支持部７の一方を具備する挟持部材Ｘと、前記脚部９、ベース部１１の他方、及び支持部７の他方を具備する脚部材Ｙを一体化することにより形成される。
【００２４】
挟持部材Ｘは、挟持片８と、支持部７及びベース部１１各々の一方を構成する支持片７Ｘ及びベース片１１Ｘを、各々の面が平行となるように起立片５Ｘの一部を各々直角に折り曲げることによって形成したものである。挟持片８は最下位に位置し、続いてベース片１１Ｘが位置し、支持片７Ｘは最上位に位置する。
【００２５】
脚部材Ｙは、脚部９の当接片９ａと、支持部７及びベース部１１の他方を構成する支持片７Ｙ及びベース片１１Ｙを、各々の面が平行となるように起立片５Ｙの一部を各々直角に折り曲げることによって形成したものである。当接片９ａは最下位に位置し、続いてベース片１１Ｙが位置し、支持片７Ｙは最上位に位置するが、支持片７Ｙの高さとベース片１１Ｙの高さとの位置関係は、挟持部材Ｘにおける支持片７Ｘの高さとベース片１１Ｘの高さの位置関係に等しく設定されており、その高さの相違は、新規折板屋根Ｂを構成する折板１ｂの支持高を決める意味を持つ。
ベース片１１Ｙは、前記吊り子６の基面６ｂを固定する取付ボルト１４が挿通する固定孔１１Ｙａを備える。
【００２６】
当該例では、当接片９ａと、支持片７Ｙ及びベース片１１Ｙは、真逆の方向へ折り曲げてあるが、同じ方向へ折り曲げた構成とすることもできる。脚部９の存在は、挟持片８の存在と相俟って、既設折板屋根Ａ上における新規折板屋根Ｂの安定性及び固定強度を高めることに寄与する。
【００２７】
挟持部材Ｘの起立片５Ｘと、脚部材Ｙの起立片５Ｙは、相互に密着し組立ボルト１２及び組立ナット１３で固定されることによって取付ベース５を構成する。組立ボルト１２が通る貫通孔５Ｘａ，５Ｙａは、挟持部材Ｘと脚部材Ｙ各々の支持片７Ｘ，７Ｙ及びベース片１１Ｘ，１１Ｙが高さにおいて同位になる様に穿設する。
【００２８】
以上の如く形成された取付部材Ｃは、既設折板屋根Ａの天平面（山部）Ａ１を貫通する締結ボルト２に挟持片８を装着し、既設の締結ナット３と、同じ締結ボルト２に螺合する挟持ナット４で、当該挟持片８を挟持し締め付けることによって既設折板屋根Ａに固定することができる。かかる構成により、新規折板屋根Ｂを敷設する基礎となる部品を、既設折板屋根Ａ上に挟持ナット４及び座金等のみを以って容易に定着することができる。
【００２９】
尚、上記構成は、折板屋根の改修構造に用いる取付部材として、製造上、機能上、経済上、最も有利な構造の一例を示したものである。従って、新規折板屋根Ｂを構成する折板１ｂ側縁の重合馳締めを以って当該側縁に挟持内装されるフック部６ａを備えた吊り子６、新規折板屋根Ｂを構成する波状折板１ｂの側縁を下支えする支持部７、締結ボルト２のネジ部が貫通する締結孔８ａを備え締結ナット３と挟持ナット４で挟持される挟持片８、及び挟持片８の下方に延出し既設折板屋根Ａの山部に当接する脚部９を備えれば、各部位の強度が適正である限り、如何なる部材構成、如何なる製法で製造されていても良い。
【符号の説明】
【００３０】
１ａ  折板（既設），１ｂ  折板（新規），
Ａ  既設折板屋根，Ａ１  天平面，Ａ２  底平面，Ａ３  傾斜平面，Ａ４  側終縁，
Ｂ  新規折板屋根，Ｂ１  天平面，Ｂ２  底平面，Ｂ３  傾斜平面，Ｂ４  連結縁，
Ｂ４α  内連結縁，Ｂ４αａ  垂直内包面，Ｂ４αｂ  反転内包面，
Ｂ４β  外連結縁，Ｂ４βａ  垂直外被面，Ｂ４βｂ  鉤状外被面，
Ｃ  取付部材，
２  締結ボルト，３  締結ナット，４  挟持ナット，
５  取付ベース，
Ｘ  挟持部材，５Ｘ  起立片，５Ｘａ  貫通孔，７Ｘ  支持片，１１Ｘ  ベース片，
Ｙ  脚部材，５Ｙ  起立片，５Ｙａ  貫通孔，７Ｙ  支持片，
１１Ｙ  ベース片，１１Ｙａ  固定孔，
６  吊り子，
６ａ  フック部，６ｂ  基面，６ｃ  起立面，６ｄ  取付孔，６ｅ  リブ，
７  支持部，
８  挟持片，８ａ  締結孔，
９  脚部，９ａ  当接片，
１０  タイトフレーム，
１１  ベース部， 
１２  組立ボルト，１３  組立ナット，１４  取付ボルト，１５  取付ナット，
【図１】
0003166986.tif 000003
【図２】
0003166986.tif 000004
【図３】
0003166986.tif 000005
【図４】
0003166986.tif 000006
【図５】
0003166986.tif 000007